(57)【特許請求の範囲】
【請求項１】
所定領域内地盤上に敷設された、内部に排水層が形成された二重構造の遮水シートの端部を、前記領域内の地盤から立設された構造物の外周部分に定着する際に、前記構造物の遮水シートを定着する高さに、前記構造物の外周部分を囲むように前記遮水シートの端部を載置するブラケットを設け、該ブラケットの上面根元部側と前記構造物の立上げ部下端側とを樹脂ライニングシートで被覆し、前記ブラケットを覆った前記樹脂ライニングシート上に前記遮水シートの下面側のシート端部を定着するとともに、前記構造物の立上げ部を覆った樹脂ライニングシートに前記遮水シートの上面側のシート端部を定着したことを特徴とする遮水シート端部の定着構造。
【請求項２】
前記樹脂ライニングシートは、背面に形成された突起ないしスタッドで前記構造物およびブラケットの表面に固着されたことを特徴とする請求項１に記載の遮水シート端部の定着構造。
【発明の詳細な説明】
【０００１】
【発明の属する技術分野】
本発明は遮水シート端部の定着構造に係り、処分場等の貯留領域内に敷設された遮水シートの端部が前記領域内に構築された構造物に定着されるような場合に、構造物の周辺に地盤沈下が生じた場合にも、前記遮水シート端部が構造物に堅固に固定できるようにした遮水シート端部の定着構造に関する。
【０００２】
【従来の技術】
一般廃棄物の埋立処分場等の貯留施設では、貯留した廃棄物から浸出した浸出水が処分場外の地盤に漏出するのを防止するために、貯留領域全体に遮水工が実施されている。遮水工としては、一般に各種の高分子系遮水シートを貯留領域の地盤全面に敷設する方法等がとられている。また、貯留領域内で発生した浸出水を外部に排出するために浸出水集排水管の配管網を設け、貯留領域内に構築した吸水人孔等を介して外部に排水するできるような貯留施設もある。
【０００３】
貯留領域内に、このような構造物がある場合、遮水シートを貯留領域内の地盤上に敷き詰める際、遮水シートと構造物との境界部分からの浸出水の漏出を防止する必要がある。このため、構造物の周囲ではシート端部をコンクリート構造物に直接定着し、水密性を確保しなければならない。
【０００４】
図４は、上述の状況を模式的に示した概略図である。同図に部分的に示したコンクリート構造物５１は貯留領域５０内の所定位置に構築され、躯体下部は埋め戻し土５２によって埋め戻されている。さらに整形された規定地盤面５３上には貯留領域全面を覆うように遮水シート５４が敷設されている。この遮水シート５４は構造物５１の位置で、シート端部５４ａが上方に折り曲げられ、構造物５１に沿って所定高さ分だけ立ち上げられている。シート上端部５４ｂには押さえプレート５５が配置され、この押さえプレート５５は、シート上端部５４ｂを挟んだ状態で、後打ちアンカー等の定着部材５６を介して構造物５１のコンクリート表面に固定されている。なお、図の簡単化のため、シート端と構造物表面との境界に沿って充填されたシーリング材と、押さえプレート５５を覆うカバーは図示されていない。
【０００５】
【発明が解決しようとする課題】
ところで、前述したように図４に示したコンクリート構造物５１はその周囲が埋め戻し土５２で埋め戻しされている場合が多い。そのため処分場として利用され、廃棄物が埋め立てられていくうちに、構造物５１の周辺で地盤沈下を生じることがある。この場合、構造物５１は支持地盤に支持されているため沈下しないが、地盤面に敷かれた部分の遮水シートのみが周囲地盤の沈下に追従して下方に引張られることが予想される。この遮水シートには高密度ポリエチレンシートのように比較的柔軟なシートが使用されているため、ある程度の沈下に合わせて伸びるが、伸びが許容量を越え、シートの引張強度を超えると、図５に示したように、アンカー定着部分で遮水シートの孔付近のシート端部５４ａが破断し、コンクリート構造物５１からシート端部がはずれてしまうおそれがある。このため、コンクリート構造物５１と遮水シート５４との境界部分から廃棄物浸出水が漏出するおそれがある。
【０００６】
そこで、本発明の目的は上述した従来の技術が有する問題点を解消し、処分場内に構築された構造物周辺において地盤の沈下が生じた場合にも、構造物に定着された遮水シートが確実に保持され、構造物と遮水シートとの境界部分からの漏水のおそれがない遮水シート端部の定着構造を提供することにある。
【０００７】
【課題を解決するための手段】
上記目的を達成するために、本発明は所定領域内地盤上に敷設された、内部に排水層が形成された二重構造の遮水シートの端部を、前記領域内の地盤から立設された構造物の外周部分に定着する際に、前記構造物の遮水シートを定着する高さに、前記構造物の外周部分を囲むように前記遮水シートの端部を載置するブラケットを設け、該ブラケットの上面根元部側と前記構造物の立上げ部下端側とを樹脂ライニングシートで被覆し、前記ブラケットを覆った前記樹脂ライニングシート上に前記遮水シートの下面側のシート端部を定着するとともに、前記構造物の立上げ部を覆った樹脂ライニングシートに前記遮水シートの上面側のシート端部を定着したことを特徴とする。
【０００８】
前記樹脂ライニングシートは、背面に形成された突起ないしスタッドで前記構造物およびブラケットの表面に固着することが好ましい。
【００１１】
【発明の実施の形態】
以下、本発明の遮水シート端部の定着構造の一実施の形態について、添付図面を参照して説明する。図１は一般廃棄物の埋立処分場の全体の横断面を模式的に示した模式断面図である。同図には処分場の貯留領域１内に配管された図示しない浸出水集排水管が接続される吸水人孔５の一部が示されている。この貯留領域１内に構築された構造物としての吸水人孔５は内部にフィルター材が充填され、図示しない揚水設備により流入した浸出水を処分場外に排出することができる。この吸水人孔５は貯留領域１内の計画底面２より深い地盤３上に立設されており、躯体下部５ａが埋め戻し土４によって計画底面２の地盤面まで埋め戻されている。この地盤面上には高密度ポリエチレン製の遮水シートが全面にわたり敷設されている。この遮水シート１０を用いた遮水工では、所定幅のロール状のシートを、所定の重ね代をとりながら敷き並べ、隣接したシートの重なり部分を熱融着して一体化して貯留領域１の地盤面全体を覆われている。遮水シート１０間の熱融着には公知のホットウェルダー等が用いられている。
【００１２】
下部５ａが埋め戻された吸水人孔５の地盤面直下には、コンクリート躯体５Ａ（ここでは、吸水人孔５を、このような状況で構築されるコンクリート構造物の一例として考え、以下、コンクリート躯体５Ａとして表現する。）の周囲全体を囲むようにシート受けブラケット２０が設けられている。このシート受けブラケット２０の構成およびこのシート受けブラケット２０の上面に定着された遮水シート端部の構成について図２及び図３を参照して説明する。
図２には下部５ａが埋め戻されたコンクリート躯体５Ａの一部と、地盤面直下のコンクリート躯体５外周壁外周に設けられたシート受けブラケット２０の一部と、このシート受けブラケット２０の上面２０ａまで埋め戻し土４によって埋め戻された部分と、貯留領域１の計画底面２の地盤面に敷設された遮水シート１０の一部とが示されている。遮水シート端部１０ａはシート受けブラケット２０に載置され、さらにコンクリート躯体５Ａ表面に固定されている。
【００１３】
シート受けブラケット２０は、コンクリート躯体５Ａとは別に打設された片持ち構造のコンクリート部材であり、本実施の形態では上面２０ａがほぼ水平に仕上げられ、下部にはハンチが形成されている。このシート受けブラケット２０は、その上面２０ａの位置が、コンクリート躯体５Ａの周囲の埋め戻し部分および計画底面２の地盤面とほぼ同じレベルになるように設けられている。本実施の形態では、幅４００mm、端部高さ３００mmの寸法に設定されている。このシート受けブラケット２０は、コンクリート躯体５Ａの周囲に所定高さまで埋め戻された埋め戻し土４の上に組み立てられた側面型枠（図示せず）で仕切られた部分に打設された、構造用コンクリートと同強度コンクリートを用いた無筋コンクリートである。コンクリート躯体５Ａとの接合面２１は、コンクリート躯体５Ａ側面の表面の一部が後述するライニングシート貼り付けのため、はつり取られ目粗しされた状態で一体化が図られている。
【００１４】
このシート受けブラケット２０をコンクリート躯体５Ａと一体化させるためには、ブラケット２０とコンクリート躯体５Ａの構築時に一体構造としてもよい。また、ブラケット２０を後施工する方法として、コンクリート躯体５Ａ側に差し筋等のアンカー部材を設けておき、ブラケット２０側から配筋された接合筋と接合してコンクリートを打設するようにしてもよい。その断面形状も接合面での強度が確保できる場合、ハンチをなくしたり、梁せいを各種設定することができる。さらに、ブラケット２０自体は高い強度を必要としないため、貧配合コンクリートとしてもよい。部材の軽量化のために軽量コンクリートとしてもよい。地中においてブラケット２０として耐久性が保持されるなら、形鋼からなるブラケットをアンカー等の定着部材でコンクリート躯体５Ａの所定位置に取り付け、そのブラケット上にプレキャストコンクリート板等を敷いて上面板とすることもできる。
【００１５】
次に、図３を参照して遮水シート端部１０ａの定着構造の構成について説明する。シート受けブラケット２０の上面２０ａには高密度ポリエチレン製のスタッド付きライニングシート２２がコンクリート表面と一体化するように敷設されている。スタッド付きライニングシート２２は裏面に多数のカギ状突起２２ａが形成されており、打設直後のコンクリート表面にこのカギ状突起２２ａを埋め込むようにして敷設することにより、ライニングシート２２をコンクリート表面に一体的に貼着させることができる。ライニングシート２２はコンクリート躯体５Ａ側にも貼着されており、その上端２２ｂは後打ちアンカー２３で固定された押さえプレート２４を介してコンクリート躯体５Ａに固定されている。さらに本実施の形態ではライニングシート２２のコンクリート側に止水棒２８が取り付けられ、ライニングシート２２の裏面とコンクリートとの間の止水も図られている。後打ちアンカー２３としては公知のホールインアンカーが用いられている。押さえプレート２４は、アルミニウム板製のフラットバーからなり、所定長さのプレートをシート長手方向に沿って取り付けるようになっている。またアンカー２３と押さえプレート２４全体は漏水防止のために、遮水シート１０と同材質のシート２５により全体が覆われている。また、シート上端部にはシリコーン樹脂コーキング２６が施されている。
【００１６】
一方、シート受けブラケット２０上面２０ａには、地盤面を敷設されてきた下層遮水シート１０Ａの一部が載置され、その端部１０ａがライニングシート２２上に熱融着されている。この下層遮水シート１０Ａ上に水平ドレン材２７が敷設されている。この水平ドレン材２７は上下面が不織布で覆われた所定厚さの空間２７ａを保持した３次元形状繊維網で、空間部分２７ａは所定面圧に対してもつぶれないような剛性を有している。土中等に敷設された際にこの空間部分２７ａを介して浸出水を水勾配に沿って排水させることができる。この水平ドレン材２７の上面２０ａには上層遮水シート１０Ｂが敷設されている。この上層遮水シート１０Ｂの端部はコンクリート躯体５Ａ側に立ち上げられたライニングシート２２に所定高さ分だけ折り曲げて重ねられ、その端部１０ａがライニングシート２２上に熱融着されている。
【００１７】
遮水シート１０Ａ、１０Ｂの端部１０ａの定着部分の構成をこのようにしたため、図３に示したようにコンクリート躯体５Ａ周辺で埋め戻し土４が沈下し、シート受けブラケット２０の端部２０ｂより外側の遮水シート１０が部分的に沈下に追従して変形しても、シートの柔軟性によりその変形は許容内に収まる。そのとき遮水シート端部１０ａの定着部分は、シート受けブラケット２０上にあるため、沈下の影響をまったく受けないですみ、定着部分での遮水性能にまったく影響はない。
【００１８】
【発明の効果】
以上に述べたよう、埋立処分場において、遮水シートを敷設する際に、コンクリート構造物等との間に生じる不同沈下に伴う遮水シート端部の定着部分の破断等による漏水発生を確実に防止することができるという効果を有する。
【図面の簡単な説明】
【図１】本発明の遮水シート端部の定着構造の一実施の形態を示した模式断面図。
【図２】図１の遮水シート端部の定着構造の一断面を拡大して示した部分斜視図。
【図３】図２に示したシート端部の定着構造の断面をさらに拡大して示した断面図。
【図４】従来の遮水シート端部の定着部分の一例を示した部分斜視図。
【図５】図４に示した遮水シート端部の定着部分が破断した状態を模式的に示した部分斜視図。
【符号の説明】
１  貯留領域
２  計画底面
４  埋め戻し土
５  吸水人孔（構造物）
５Ａ  コンクリート躯体
１０  遮水シート
２０  シート受けブラケット
２２  ライニングシート
２３  アンカー
２４  押さえプレート
２７  水平ドレン材
【図１】
0003648680.tif 000002
【図２】
0003648680.tif 000003
【図３】
0003648680.tif 000004
【図４】
0003648680.tif 000005
【図５】
0003648680.tif 000006